(57)【要約】【課題】  カメラ付き携帯電話端末のサイズを増すことなく、携帯電話端末の表示画面が小さいことによる視認性の悪さを解決する。さらに、この表示画面に表示されたコンテンツの情報共有性を高める。【解決手段】  携帯電話端末の投影部２は、光源２１，反射板Ａ２２および反射板Ｂ２３，表示形式変換部２４，拡大素子２５を備える。光源２１は表示しているコンテンツに光を照射するためカメラ用ストロボを兼用する。反射板Ａ２２および反射板Ｂ２３は光源から出力される光の光路を変更する。表示形式変換部２４は表示部に表示したコンテンツを外部投影に適した表示形式に変換する。拡大素子２５は表示形式変換部２４で変換した投影用コンテンツに対し反射板Ａ２２および反射板Ｂ２３によって変更した光を照射し外部に拡大表示する。【選択図】      図２
2005184369.tif 000002
【特許請求の範囲】
【請求項１】
自端末の表示部に表示したコンテンツを拡大して外部に投影する投影部を制御する制御部を有するカメラ付きの携帯電話端末であって、前記制御部は、カメラ用ストロボと兼用する光源からの光を、一方を投影表示用に他方をカメラ用ストロボに用いるための光路制御を行うことを特徴とする携帯電話端末。
【請求項２】
自端末の表示部に表示したコンテンツを拡大して外部に投影する投影部を制御する制御部を有するカメラ付きの携帯電話端末であって、前記制御部は、コンテンツ拡大投影時に前記表示部に表示しているコンテンツに対しカメラ用ストロボと兼用する光源からの光を光路変更し照射させて、外部に拡大表示するための制御を行うことを特徴とする携帯電話端末。
【請求項３】
自端末の表示部に表示したコンテンツを拡大して外部に投影する投影部を制御する制御部を有するカメラ付きの携帯電話端末であって、前記制御部は、コンテンツ拡大投影時に前記表示部に表示しているコンテンツに対しカメラ用ストロボと兼用する光源からの光路非変更の光を照射させて、外部に拡大表示するための制御を行うことを特徴とする携帯電話端末。
【請求項４】
自端末の表示部に表示したコンテンツを拡大して外部に投影する投影部を有するカメラ付きの携帯電話端末であって、前記投影部は、表示しているコンテンツに光を照射するためカメラ用ストロボを兼用する光源と、前記光源から出力される光の光路を変更する光路変更手段と、投影用コンテンツに対し前記光路変更手段によって変更した光を照射し外部に拡大表示する拡大素子とを備えることを特徴とする携帯電話端末。
【請求項５】
外部投影に適した表示形式に変換する表示形式変換部を備えることを特徴とする請求項４記載の携帯電話端末。
【請求項６】
前記表示形式変換部は、自端末の背面に配置され表示を行う背面表示部を兼用することを特徴とする請求項５記載の携帯電話端末。
【請求項７】
前記光路変更手段は、前記光源からの光を入光し反射させる第１の反射板と、この第１の反射板で反射させた光を前記表示形式変換部に入光させる第２の反射板とを備えることを特徴とする請求項４記載の携帯電話端末。
【請求項８】
前記第１の反射板は、前記光源を自端末に内蔵するカメラによる撮影時のストロボとして使用するために、スライド可能あるいは回転可能に配置されることを特徴とする請求項７記載の携帯電話端末。
【請求項９】
自端末に表示したコンテンツを拡大して外部に投影表示する携帯電話端末におけるコンテンツ表示方法であって、自端末の液晶表示部にコンテンツが表示されているか否かを判定するステップと、コンテンツが表示されている場合この表示されているコンテンツを投影表示するか否かを判定するステップと、投影表示が操作選択された場合カメラ用ストロボを兼用する光源を点灯させるステップと、光源からの光を可動可能な第１の反射板に入光させるステップと、この第１の反射板からの光を第２の反射板を経由させるステップと、コンテンツに対し前記第２の反射板を介した光を照射し拡大素子により拡大して外部に投影するステップとを有することを特徴とする携帯電話端末におけるコンテンツ表示方法。
【請求項１０】
前記コンテンツを投影に適した形式に表示変換するステップを有することを特徴とする請求項９記載の携帯電話端末におけるコンテンツ表示方法。
【請求項１１】
前記表示変換として、左右反転および上下反転の修正を行うステップを有することを特徴とする請求項１０記載の携帯電話端末におけるコンテンツ表示方法。
【請求項１２】
前記第１の反射板をスライドあるいは支点を中心に回転させるステップを有することを特徴とする請求項９記載の携帯電話端末におけるコンテンツ表示方法。
【請求項１３】
自端末に表示したコンテンツを拡大して外部に投影表示する携帯電話端末におけるコンテンツ表示処理をコンピュータに実行させるプログラムであって、自端末の液晶表示部にコンテンツが表示されているか否かを判定する処理と、コンテンツが表示されている場合この表示されているコンテンツを投影表示するか否かを判定する処理と、投影表示が操作選択された場合カメラ用ストロボを兼用する光源を点灯させる処理と、光源からの光を可動可能な第１の反射板に入光させる処理と、この第１の反射板からの光を第２の反射板を経由させる処理と、コンテンツに対し前記第２の反射板を介した光を照射し拡大素子により拡大して外部に投影する処理とをコンピュータに実行させるためのプログラム。
【請求項１４】
前記コンテンツを投影に適した形式に表示変換する処理をコンピュータに実行させる請求項１３記載のプログラム。
【請求項１５】
前記表示変換として、左右反転および上下反転の修正を行う処理をコンピュータに実行させる請求項１４記載のプログラム。
【請求項１６】
前記第１の反射板をスライドあるいは支点を中心に回転させる処理をコンピュータに実行させる請求項１３記載のプログラム。
【発明の詳細な説明】
【技術分野】
【０００１】
本発明は、携帯電話端末に関し、特に携帯電話端末におけるコンテンツの外部表示機能に関する。
【背景技術】
【０００２】
携帯電話端末の普及に伴い、インターネット等を介し情報提供者から各種コンテンツを得る機会が増えてきている。この情報提供者から得たコンテンツは、個人のみならず、時には多数で共有化するため、あるいは携帯電話端末における画面の小さいことによる視認性の向上のため、表示内容を拡大して投影表示している。携帯電話端末の液晶表示画面の画像を拡大し投影する際には、液晶表示部の前面に被さるような位置に投影レンズを移動させ、液晶表示部の画像を投影レンズを介して外部の壁面等に投影している。この場合、液晶表示部の裏側に投影のための光源ランプを設けている。（例えば、特許文献１参照）。また、投影用マイクロコンピュータおよび投影発生部を通して、受信した情報を投影光により投影スクリーンに映し出している（例えば、特許文献２参照）。
【０００３】
【特許文献１】特開２００１−３１３７０２号公報（段落番号００３５，００３６および図３）
【特許文献２】特開２００３−１８２５６号公報（段落番号０００４〜０００６および図１）
【発明の開示】
【発明が解決しようとする課題】
【０００４】
従来の携帯電話端末における文字情報あるいは画像等のコンテンツ表示では、表示内容を拡大して投影表示しているはいるものの、携帯電話端末内にこの投影表示用に専用の光源を備える必要がある。これによって端末自体の小型化に支障が生じる。最近の携帯電話端末では、各種新機能に対応するために、少しでもその小型化が望まれている。
【０００５】
本発明の目的は、携帯電話端末に表示するコンテンツの視認性の向上および複数の人間でこの表示コンテンツを共有化可能にするだけでなく、自端末に有するカメラ用ストロボと投影用光源とを兼用し、端末をより小型化することが可能な携帯電話端末およびそのコンテンツ表示方法を提供することにある。
【課題を解決するための手段】
【０００６】
請求項１に記載の本発明は、自端末の表示部に表示したコンテンツを拡大して外部に投影する投影部を制御する制御部を有するカメラ付きの携帯電話端末であって、前記制御部は、カメラ用ストロボと兼用する光源からの光を、一方を投影表示用に他方をカメラ用ストロボに用いるための光路制御を行う。
【０００７】
請求項２に記載の本発明は、自端末の表示部に表示したコンテンツを拡大して外部に投影する投影部を制御する制御部を有するカメラ付きの携帯電話端末であって、前記制御部は、コンテンツ拡大投影時に前記表示部に表示しているコンテンツに対しカメラ用ストロボと兼用する光源からの光を光路変更し照射させて、外部に拡大表示するための制御を行う。
【０００８】
請求項３に記載の本発明は、自端末の表示部に表示したコンテンツを拡大して外部に投影する投影部を制御する制御部を有するカメラ付きの携帯電話端末であって、前記制御部は、コンテンツ拡大投影時に前記表示部に表示しているコンテンツに対しカメラ用ストロボと兼用する光源からの光路非変更の光を照射させて、外部に拡大表示するための制御を行う。
【０００９】
請求項４に記載の本発明は、自端末の表示部に表示したコンテンツを拡大して外部に投影する投影部を有するカメラ付きの携帯電話端末であって、前記投影部は、表示しているコンテンツに光を照射するためカメラ用ストロボを兼用する光源と、前記光源から出力される光の光路を変更する光路変更手段と、投影用コンテンツに対し前記光路変更手段によって変更した光を照射し外部に拡大表示する拡大素子とを備える。
【００１０】
請求項５に記載の本発明は、請求項４において、外部投影に適した表示形式に変換する表示形式変換部を備える。
【００１１】
請求項６に記載の本発明は、請求項５において、前記表示形式変換部は、自端末の背面に配置され表示を行う背面表示部を兼用する。
【００１２】
請求項７に記載の本発明は、請求項４において、前記光路変更手段は、前記光源からの光を入光し反射させる第１の反射板と、この第１の反射板で反射させた光を前記表示形式変換部に入光させる第２の反射板とを備える。
【００１３】
請求項８に記載の本発明は、請求項７において、前記第１の反射板は、前記光源を自端末に内蔵するカメラによる撮影時のストロボとして使用するために、スライド可能あるいは回転可能に配置される。
【００１４】
請求項９に記載の本発明は、自端末に表示したコンテンツを拡大して外部に投影表示する携帯電話端末におけるコンテンツ表示方法であって、自端末の液晶表示部にコンテンツが表示されているか否かを判定するステップと、コンテンツが表示されている場合この表示されているコンテンツを投影表示するか否かを判定するステップと、投影表示が操作選択された場合カメラ用ストロボを兼用する光源を点灯させるステップと、光源からの光を可動可能な第１の反射板に入光させるステップと、この第１の反射板からの光を第２の反射板を経由させるステップと、コンテンツに対し前記第２の反射板を介した光を照射し拡大素子により拡大して外部に投影するステップとを有する。
【００１５】
請求項１０に記載の本発明は、請求項９において、前記コンテンツを投影に適した形式に表示変換するステップを有する。
【００１６】
請求項１１に記載の本発明は、請求項１０において、前記表示変換として、左右反転および上下反転の修正を行うステップを有する。
【００１７】
請求項１２に記載の本発明は、請求項９において、前記第１の反射板をスライドあるいは支点を中心に回転させるステップを有する。
【００１８】
請求項１３に記載の本発明は、自端末に表示したコンテンツを拡大して外部に投影表示する携帯電話端末におけるコンテンツ表示処理をコンピュータに実行させるプログラムであって、自端末の液晶表示部にコンテンツが表示されているか否かを判定する処理と、コンテンツが表示されている場合この表示されているコンテンツを投影表示するか否かを判定する処理と、投影表示が操作選択された場合カメラ用ストロボを兼用する光源を点灯させる処理と、光源からの光を可動可能な第１の反射板に入光させる処理と、この第１の反射板からの光を第２の反射板を経由させる処理と、コンテンツに対し前記第２の反射板を介した光を照射し拡大素子により拡大して外部に投影する処理とをコンピュータに実行させる。
【００１９】
請求項１４に記載の本発明は、請求項１３において、前記コンテンツを投影に適した形式に表示変換する処理をコンピュータに実行させる。
【００２０】
請求項１５に記載の本発明は、請求項１４において、前記表示変換として、左右反転および上下反転の修正を行う処理をコンピュータに実行させる。
【００２１】
請求項１６に記載の本発明は、請求項１３において、前記第１の反射板をスライドあるいは支点を中心に回転させる処理をコンピュータに実行させる。
【００２２】
本発明によれば、本体表示部に表示されているコンテンツは、表示形式変換部において、投影に適した表示形式に変換される。表示形式を変換されたコンテンツに、カメラ用ストロボを兼用する光源を照射し、拡大素子によって拡大して壁面などに投影表示する。投影用の光源をカメラ用ストロボと共用することにより、携帯電話端末をより小型化できる。
【発明の効果】
【００２３】
本発明は、カメラ付き携帯電話端末のストロボ用光源と投影表示用光源を共用可能に構成している。これにより、携帯電話端末の表示部に表示したコンテンツの拡大投影表示による視認性の向上およびコンテンツ内容の共有化を実現するだけでなく、携帯電話端末をより小型化することが可能となる。
【発明を実施するための最良の形態】
【００２４】
次に、本発明の実施の形態について図面を参照して詳細に説明する。
【００２５】
図１は本発明の実施の形態における画像コンテンツの投影例を示す図である。図１を参照すると、携帯電話端末１０は、本体液晶表示部１と、投影部２と、背面液晶表示部４とを備える。投影部２により拡大されたコンテンツは、壁面などの上に投影画面２ａの形で投影される。図１は、本発明の携帯電話端末の特徴部分を示したもので、携帯電話端末全体を制御する制御部等の内部構成の図示を省略してある。また、図１では、画像を表示している例を示したが、文字情報の表示でもよい。
【００２６】
図２は図１における投影部の構成を示す図である。図２を参照すると、投影部２は、光源２１，反射板Ａ２２，反射板Ｂ２３，表示形式変換部２４，レンズ等の拡大素子２５を含んで構成される。光源２１は表示しているコンテンツに光を照射するためカメラ用ストロボを兼用する。反射板Ａ２２および反射板Ｂ２３は光源２１から出力される光の光路を変更する。第１の反射板Ａ２２は光源２１からの光を入光し反射板Ｂ２３に反射させる。反射板Ｂ２３は反射板２２で反射させた光を表示形式変換部２４に入光させる。反射板Ａは、光源２１を自端末に内蔵するカメラによる撮影時のストロボとして使用するために、スライド可能あるいは回転可能に配置される。
【００２７】
表示形式変換部２４は外部投影に適した表示形式に変換するとともに背面液晶表示部を兼ねる。表示形式変換部２４は、通常、液晶表示部上に表示された画像を壁などに投影して見る場合に、人間の目に最適に見えるように補正する。例えば、左右の反転、上下の反転補正、その他に歪の補正、輪郭の補正などを行う。拡大素子２５は表示形式変換部２４で変換した投影用コンテンツに対し反射板Ａ２２および反射板Ｂ２３によって変更した光を照射し外部に拡大表示する。この携帯電話端末のコンピュータに相当する制御部（図示せず）は、内蔵するメモリ（図示せず）に予め格納した動作制御プログラムを読み込み、投影部２を含む端末各部を制御する。
【００２８】
図２では、反射板Ａ２２および反射板Ｂ２３によって変更した光をコンテンツ投影用に用いる例を示した。しかし、これら反射板を経由した光をカメラ用ストロボとして用い、コンテンツ投影用にはこれら反射板を経由しない光を照射する構成としてもよい。また、光源２１からの光を、一方を投影表示用に他方をカメラ用ストロボに用いるため、例えば光源から照射される光の向きを変えるように光路制御を行う構成としてもよい。さらに、図２では、表示形式変換部２４を設ける例を示したが、投影時に人間の目に正常に見える、すなわち左右反対等を解消するように予め制御部で制御することにより、この表示形式変換部２４を設けない構成とすることも可能である。
【００２９】
図３は図２における反射板Ａの可動状態を示す図である。図３を参照すると、投影部３は、光源３１、反射板Ａ３２，反射板Ｂ３３，表示形式変換部３４，拡大素子３５を含んで構成される。図３において、拡大投影時には反射板Ａ３２を動作させ、支点Ｘを中心に回転させて光源３１からの光を反射板Ｂ３３に入光させる。ストロボ撮影時には、この反射板Ａ３２を不動作とすることにより、光源３１からの光が反射板Ｂ３３に入光しないようにしている。なお反射板Ａ３２以外は図２で説明した内容と同一であるので説明を省略する。
【００３０】
図４は本発明の実施の形態の動作を示すフローチャートである。本体液晶表示部１（図１）に表示されている画面を投影画面２ａに投影する際の動作について図３，４を参照して説明する。
【００３１】
始めに、自端末の本体液晶表示部にコンテンツが表示されているか否かを判定する（ステップ４１：Ｓ４１と略称、以下同様）。コンテンツが表示されている場合には、この表示されているコンテンツを投影表示するか否かを判定する（Ｓ４２）。例えば、携帯電話端末の使用者による拡大表示ＯＮボタンあるいは投影機能ＯＮボタンの操作入力によって判定する。次に、投影表示が操作選択された場合カメラ用ストロボを兼用する光源を点灯させる（Ｓ４３）。そして、光源からの光を可動可能な反射板Ａに入光させ、反射板Ａからの光を反射板Ｂを経由させる。このときに、反射板Ａ３２を支点Ｘを中心に回転移動させる。次に、コンテンツを投影に適した形式に表示変換する。表示変換として、例えば左右反転および上下反転の修正を行う。この変換されたコンテンツに対し反射板Ｂを介した光を照射し、拡大素子により拡大して壁面など外部に投影する（Ｓ４４）。通常は反射板Ａは不動作状態であり、カメラ用ストロボとして使用することが可能である。
【００３２】
図５は図２における反射板Ａの他の手段による可動状態を示す図である。図５を参照すると、投影部５は、光源５１，反射板Ａ５２，反射板Ｂ５３，表示形式変換部５４，拡大素子５５を含んで構成される。図５においては、図３のように反射板Ａ３２を支点Ｘを中心に回転移動させる代わりに、反射板Ａ５２をスライドさせる。これ以外は上述した図３の場合と同様なので、説明を省略する。
【図面の簡単な説明】
【００３３】
【図１】本発明の実施の形態における画像コンテンツの投影例を示す図である。
【図２】図１における投影部の構成を示す図である。
【図３】図２における反射板Ａの可動状態を示す図である。
【図４】本発明の実施の形態の動作を示すフローチャートである。
【図５】図２における反射板Ａの他の手段による可動状態を示す図である。
【符号の説明】
【００３４】
１    本体液晶表示部
２，３，５    投影部
２ａ    投影画面
４    背面液晶表示部
１０    携帯電話端末
２１，３１，５１    光源
２２，３２，５２    反射板Ａ
２３，３３，５３    反射板Ｂ
２４，３４，５４    表示形式変換部
２５，３５，５５    拡大素子
【図１】
2005184369.tif 000003
【図２】
2005184369.tif 000004
【図３】
2005184369.tif 000005
【図４】
2005184369.tif 000006
【図５】
2005184369.tif 000007